(57)【要約】    【課題】緊急時に通報者が緊急通報の操作を行った通報器からの通報データを無線ネットワークを介して所定の通報機関へと伝送させ、通報機関にて通報者および通報場所の特定を可能とする。    【解決手段】複数の子機１ａ、１ｂ、・・・１ｎに無線ネットワーク６を構成する無線ネットワーク端末をそれぞれ搭載させることにより、この無線ネットワーク端末にて緊急通報の操作が行われた通報器４からの通報データが受信されたとき、マルチホップ接続された無線ネットワークの次子機の無線ネットワーク端末へと通報データを順次転送して予め測定された最短時間の転送経路の無線ネットワーク端末から所定の通報機関５ａ、５ｂへと通報を行う。    【選択図】  図１
2005079687.tif 000002
【特許請求の範囲】
【請求項１】
端末間で緊急時に通報データの送受信が可能な無線ネットワーク端末（２ａ、２ｂ、・・・２ｎ）がそれぞれ搭載され屋外に設置される複数の子機（１ａ、１ｂ、・・・１ｎ）を備え、
前記複数の子機は、前記無線ネットワーク端末をマルチホップ接続して前記通報データを送受信するための無線ネットワーク（６）を構成し、
前記無線ネットワーク端末は、前記通報データの受信によりマルチホップ接続された無線ネットワークの次子機の無線ネットワーク端末へと前記通報データを順次転送して予め測定された最短時間の転送経路の無線ネットワーク端末から所定の通報機関（５ａ、５ｂ）へと通報を行うものであることを特徴とする緊急通報装置。
【請求項２】
緊急通報を行う通報者は自己を特定するための通報者ＩＤを有する通報器（４）を携行し、前記通報データに前記通報者ＩＤを付加して送受信することを特徴とする請求項１記載の緊急通報装置。
【請求項３】
前記子機は自己の子機ＩＤを有し、前記緊急通報を行う通報者から最初に通報を受けた子機は、前記通報データに前記子機ＩＤを付加して送受信することを特徴とする請求項１または請求項２記載の緊急通報装置。
【請求項４】
前記無線ネットワーク端末または前記子機は、前記通報データの転送経路を記憶し、前記転送経路に基づいて次子機へと前記通報データを送信するためのメモリ（２０）を有することを特徴とする請求項１乃至請求項３のうち何れか１項記載の緊急通報装置。
【請求項５】
前記通報機関は、前記通報者を特定するための通報者データベース（５０ａ、５０ｂ）を有し、前記通報者ＩＤを参照して前記通報者を特定することを特徴とする請求項２乃至請求項４のうち何れか１項記載の緊急通報装置。
【請求項６】
前記通報機関は、前記子機を特定するための子機データベース（５１ａ、５１ｂ）を有し、前記子機ＩＤを参照して前記子機を特定することを特徴とする請求項３乃至請求項５のうち何れか１項記載の緊急通報装置。
【請求項７】
前記通報機関は病院であって、前記通報者データベースは前記通報者ＩＤに基づいて患者の氏名、年齢等の患者情報と治療した内容、過去の病歴等の看護情報とを確認できるものであることを特徴とする請求項５または請求項６記載の緊急通報装置。
【請求項８】
前記子機はインターホン子機であって、来訪者と居住者との間で通話を行うための通話部（１２、１３）を有しており、前記通報データの転送経路と同一経路によって前記通話部で前記通報機関と通話を行うことができる請求項４乃至請求項７のうち何れか１項記載の緊急通報装置。
【請求項９】
前記子機に接続され、前記インターホン子機が前記通報者からの通報データを受信したとき通報音を放音するためのインターホン親機（３ａ、３ｂ、・・・３ｎ）を備えたことを特徴とする請求項１乃至請求項８のうち何れか１項記載の緊急通報装置。
【請求項１０】
前記インターホン子機は、前記通報者を撮像し、前記通報データを受信したとき、前記撮像した映像を前記インターホン親機に出画させるためのカメラ（１１）を有することを特徴とする請求項９記載の緊急通報装置。
【請求項１１】
前記インターホン親機は、非常時または緊急時に前記通報データを前記インターホン子機へと送信可能な通報送信部（３３）を備えたことを特徴とする請求項９または請求項１０記載の緊急通報装置。
【発明の詳細な説明】
【技術分野】
【０００１】
本発明は、無線ネットワーク（ＷＡＮ：Wide Area Network）を利用した緊急通報装置に係り、特に、緊急時に緊急通報の操作を行った通報者および通報場所の特定が可能な緊急通報装置に関する。
【背景技術】
【０００２】
従来から、暴漢侵入時に通報者が所定の通報機関、例えば、警察署や街角へと緊急通報を行う手段として、通報者により携行される携帯用電話機の電鍵操作を適用させた緊急通報装置（以下、第１の従来例の緊急通報装置という。）が提案されている（例えば、特許文献１を参照）。
【０００３】
第１の従来例の緊急通報装置によれば、暴漢侵入時において、通報者は歩行中であっても、通話中であっても暴漢（暴漢者）に気付かれることなく警察署に緊急通報できるとともに、暴漢逃走の際、一般市民の協力が期待できる。
【０００４】
また、他の従来例である緊急通報装置（以下、第２の従来例の緊急通報装置という。）として、最近では、児童、生徒用の緊急通報装置が登下校する道沿いに設置されており、専用線を介して所定の通報機関、例えば、学校内の職員室へと緊急通報を行っていた。
【０００５】
【特許文献１】特開平８−１８６６６３号公報（段落番号００１４〜００２４、図１〜図３）
【発明の開示】
【発明が解決しようとする課題】
【０００６】
しかしながら、第１の従来例の緊急通報装置において、暴漢侵入時に緊急通報を行う通報者により携帯用電話機が携行されていない場合、通報者は別個の携帯用電話機または公衆電話等を探さねばならず迅速な緊急通報を行うことが困難であった。
【０００７】
また、第２の従来例の緊急通報装置において、児童、生徒用の緊急通報装置を登下校する道沿いに設置するためには、新たな専用線を敷設して専用の端末が必要となり多大なコストが必要とされる難点があった。
【０００８】
本発明は、上述の難点を解消するためになされたもので、緊急時に通報者が緊急通報の操作を行った通報器からの通報データを無線ネットワークを介して所定の通報機関へと伝送させ、通報機関にて通報者および通報場所の特定が可能な緊急通報装置を提供することを目的としている。
【課題を解決するための手段】
【０００９】
上述の目的を達成するため、本発明の第１の態様である緊急通報装置は、端末間で緊急時に通報データの送受信が可能な無線ネットワーク端末がそれぞれ搭載され屋外に設置される複数の子機を備えている。複数の子機は、無線ネットワーク端末をマルチホップ接続して通報データを送受信するための無線ネットワークを構成している。無線ネットワーク端末は、通報データの受信によりマルチホップ接続された無線ネットワークの次子機の無線ネットワーク端末へと通報データを順次転送して予め測定された最短時間の転送経路の無線ネットワーク端末から所定の通報機関へと通報を行うものである。
【００１０】
また、本発明の第１の態様は本発明の第２の態様である緊急通報装置において、緊急通報を行う通報者は自己を特定するための通報者ＩＤを有する通報器を携行し、通報データに通報者ＩＤを付加して送受信するものである。
【００１１】
また、本発明の第１の態様または第２の態様は本発明の第３の態様である緊急通報装置において、子機は自己の子機ＩＤを有し、緊急通報を行う通報者から最初に通報を受けた子機は、通報データに子機ＩＤを付加して送受信するものである。
【００１２】
また、本発明の第１乃至第３の各態様のうち何れかの態様は本発明の第４の態様である緊急通報装置において、無線ネットワーク端末または子機は、通報データの転送経路を記憶し、転送経路に基づいて次子機へと通報データを送信するためのメモリを有している。
【００１３】
また、本発明の第２乃至第４の各態様のうち何れかの態様は本発明の第５の態様である緊急通報装置において、通報機関は、通報者を特定するための通報者データベースを有し、通報者ＩＤを参照して通報者を特定するものである。
【００１４】
また、本発明の第３乃至第５の各態様のうち何れかの態様は本発明の第６の態様である緊急通報装置において、通報機関は、子機を特定するための子機データベースを有し、子機ＩＤを参照して子機を特定するものである。
【００１５】
また、本発明の第５の態様または第６の態様は本発明の第７の態様である緊急通報装置において、通報機関は病院であって、通報者データベースは通報者ＩＤに基づいて患者の氏名、年齢等の患者情報と治療した内容、過去の病歴等の看護情報とを確認できるものである。
【００１６】
また、本発明の第４乃至第７の各態様のうち何れかの態様は本発明の第８の態様である緊急通報装置において、子機はインターホン子機であって、来訪者と居住者との間で通話を行うための通話部を有しており、通報データの転送経路と同一経路によって通話部で通報機関と通話を行うことができるものである。
【００１７】
また、本発明の第１乃至第８の各態様のうち何れかの態様は本発明の第９の態様である緊急通報装置において、子機に接続され、インターホン子機が通報者からの通報データを受信したとき通報音を放音するためのインターホン親機を備えている。
【００１８】
また、本発明の第９の態様は本発明の第１０の態様である緊急通報装置において、インターホン子機は、通報者を撮像し、通報データを受信したとき、撮像した映像をインターホン親機に出画させるためのカメラを有している。
【００１９】
また、本発明の第９または第１０の態様は本発明の第１１の態様である緊急通報装置において、インターホン親機は、非常時または緊急時に通報データをインターホン子機へと送信可能な通報送信部を備えている。
【発明の効果】
【００２０】
本発明の緊急通報装置の第１の態様によれば、複数の子機に無線ネットワークを構成する無線ネットワーク端末がそれぞれ搭載されることにより、この無線ネットワーク端末にて通報データが受信されたとき、マルチホップ接続された無線ネットワークを介して次子機の無線ネットワーク端末へと通報データを順次転送して予め測定された最短時間の転送経路の無線ネットワーク端末から所定の通報機関へと通報を行うことができる。
【００２１】
また、本発明の緊急通報装置の第２の態様によれば、複数の子機にそれぞれ搭載される無線ネットワーク端末にて受信される通報器からの通信データとして、緊急通報の操作を行った通報者を特定するための通報者ＩＤを付加させることができる。
【００２２】
また、本発明の緊急通報装置の第３の態様によれば、緊急通報の操作を行った通報者から最初に通報データを受信した子機は、受信した通報データに子機ＩＤを付加して送受信させることができる。
【００２３】
また、本発明の緊急通報装置の第４の態様によれば、次子機へと通報データを転送させるための転送経路について無線ネットワーク端末のメモリまたは子機のメモリに記憶させることができる。
【００２４】
また、本発明の緊急通報装置の第５の態様によれば、通報データが転送されてくる所定の通報機関は、通報データに付加されている通報者ＩＤを参照して通報者データベースから緊急通報の操作を行った通報者を特定することができる。
【００２５】
また、本発明の緊急通報装置の第６の態様によれば、通報データが転送されてくる所定の通報機関は、通報データに付加されている子機ＩＤを参照して子機データベースから最初に通報データを受信した子機を特定することができる。
【００２６】
また、本発明の緊急通報装置の第７の態様によれば、通報データが転送されてくる所定の通報機関として病院を適用することにより、通報データに付加されている通報者ＩＤを参照して通報者データベースから緊急通報の操作を行った通報者である患者の氏名、年齢等の患者情報と治療した内容、過去の病歴等の看護情報とを確認することができる。
【００２７】
また、本発明の緊急通報装置の第８の態様によれば、通報データが受信される／転送されてくる子機としてインターホン子機を適用し、このインターホン子機に通話部を備えることにより、通報データの転送経路と同一経路を介して通話部と通報機関との間で通話を行うことができる。
【００２８】
また、本発明の緊急通報装置の第９の態様によれば、緊急通報の操作を行った通報者から最初に通報データを受信した子機は、この子機に接続されるインターホン親機にて通報音を放音させることができる。
【００２９】
また、本発明の緊急通報装置の第１０の態様によれば、緊急通報の操作を行った通報者から最初に通報データを受信した子機は、通報者の映像をカメラにて撮像することができ、この映像はインターホン親機に出画される。
【００３０】
また、本発明の緊急通報装置の第１１の態様によれば、非常時または緊急時において、インターホン親機の通報送信部からインターホン子機へと通報データが送信され、この通報データは、通報者からの緊急通報時と同様、マルチホップ接続された無線ネットワークを介して次子機の無線ネットワーク端末へと通報データを順次転送して予め測定された最短時間の転送経路の無線ネットワーク端末から所定の通報機関へと通報を行うことができる。
【発明を実施するための最良の形態】
【００３１】
以下、本発明の緊急通報装置を適用した最良の実施の形態例について、図面を参照して説明する。
【００３２】
図１は、本発明の実施例による緊急通報装置を示すシステム構成図である。
【００３３】
図１のシステム構成図に示す緊急通報装置は、端末間で緊急時に通報データの送受信が可能な図２のブロック図に示す無線ネットワーク端末２ａ、２ｂ、・・・２ｎをそれぞれ搭載、例えば、内蔵または着脱自在に接続され屋外（以下、住戸外という。）に設置される複数の子機、ここでは、各住戸の玄関（以下、住戸玄関という。）にそれぞれ設置され自己の子機ＩＤを有しており、無線ネットワーク端末２ａ、２ｂ、・・・２ｎをマルチホップ接続して通報データを送受信するための無線ネットワーク（ＷＡＮ）、ここでは、通信プロトコルがリング型の無線ネットワーク６を構成する複数のインターホン子機１ａ、１ｂ、・・・１ｎと、複数のインターホン子機１ａ、１ｂ、・・・１ｎに住戸機器間ラインＬ1a、Ｌ1b、・・・Ｌ1nを介してそれぞれ接続される複数のインターホン親機、ここでは、各住戸内に設置される複数のインターホン親機３ａ、３ｂ、・・・３ｎと、緊急通報の操作を行う通報者により携行され自己を特定するための通報者ＩＤ（詳述せず）を有する通報器４と、通報者からの緊急通報の報知が行われる所定の通報機関、ここでは、病院５ａおよび警察署５ｂとで構成されている。
【００３４】
なお、上述のマルチホップ接続とは、インターネット等の有線または無線のネットワークへと繋がるゲートウェイ装置と端末とがデータの送受信を行う場合に、各種の通信データを端末から端末ヘとリレー式に受け渡す接続手法である。また、上述の無線ネットワーク６は、通信プロトコルがリング型の無線ネットワークのみならず、通信プロトコルがバス型の無線ネットワークも好適とされる。
【００３５】
インターホン子機１ａ、１ｂ、・・・１ｎは、それぞれ同様な構成であり、図２のブロック図に示すように、住戸玄関に居る来訪者が住戸内に在室中の居住者を呼び出すために操作する呼出ボタン１０と、呼出操作を行った来訪者や通報器４にて緊急通報の操作を行った通報者の映像を撮像するためのカメラ１１と、来訪者が居住者との間で通話を行うための音声を送受信（入出力）するとともに、通報器４にて緊急通報の操作を行った通報者や非常時または緊急時における居住者が所定の通報機関である病院５ａおよび警察署５ｂにて応答した人物（後述）との間で通話を行うための音声を送受信（入出力）する通話部をなすマイク（以下、子機マイクという。）１２およびスピーカ（以下、子機スピーカという。）１３と、呼出ボタン１０、カメラ１１、子機マイク１２、子機スピーカ１３の各構成部と無線ネットワーク端末２ａ、２ｂ、・・・２ｎに備えられる後述するＣＰＵ２２または住戸機器間ラインＬ1a、Ｌ1b、・・・Ｌ１nとの間のデータ／信号伝送路をそれぞれ形成するためのインターフェース（以下、子機Ｉ／Ｆという。）１４とが備えられており、上述の呼出ボタン１０、カメラ１１、子機マイク１２および子機スピーカ１３は、図１のシステム構成図のインターホン子機１ａ、１ｂ、・・・１ｎにそれぞれ示される。
【００３６】
また、インターホン子機１ａ、１ｂ、・・・１ｎに搭載されている無線ネットワーク端末２ａ、２ｂ、・・・２ｎは、それぞれ同様な構成であり、図２のブロック図に示すように、通報データの転送経路を記憶し、記憶されている転送経路に基づいて次子機へと通報データを送受信させるためのメモリ２０と、メモリ２０に記憶されている転送経路に基づいて、通報データを無線データとして無線ネットワーク６を介して次子機へと送受信させるための無線送受信回路２１と、メモリ２０、無線送受信回路２１、インターホン子機１ａ、１ｂ、・・・１ｎのカメラ１１および子機スピーカ１３をそれぞれ制御するためのＣＰＵ２２とが備えられている。
【００３７】
また、インターホン親機３ａ、３ｂ、・・・３ｎは、それぞれ同様な構成であり、図２のブロック図に示すように、インターホン子機１ａ、１ｂ、・・・１ｎの呼出ボタン１０を操作した来訪者からの呼び出しを報知するための呼出音、または住戸機器間ラインＬ1a、Ｌ1b、・・・Ｌ1nを介して接続されたインターホン子機１ａ、１b、・・・１ｎに搭載されている無線ネットワーク端末２ａ、２ｂ、・・・２ｎの無線送受信回路２１が通報者により緊急通報の操作が行われた通報器４からの通報データを受信したとき、その旨の通報音を放音するためのスピーカ（以下、親機スピーカという。）３０と、来訪者からの呼び出し、または通報者からの緊急通報を確認した居住者が応答して来訪者または通報者との間で通話を行うための音声を送受信（入出力）するとともに、非常時または緊急時における居住者が所定の通報機関である病院５ａおよび警察署５ｂにて応答した人物（後述）との間で通話を行うための音声を送受信（入出力）する通話部をなすハンドセット３１と、インターホン子機１ａ、１ｂ、・・・１ｎのカメラ１１にて撮像された映像を出画するための表示部をなすＬＣＤ（Liquid Crystal Display）、有機ＥＬ（Electroluminesence）等のモニタ３２と、非常時または緊急時において通報データをインターホン子機１ａ、１ｂ、・・・１ｎに送信可能な通報送信部３３と、親機スピーカ３０、ハンドセット３１、モニタ３２、通報送信部３３の各構成部と住戸機器間ラインＬ1a、Ｌ1b、・・・Ｌ1nとの間のデータ／信号伝送路をそれぞれ形成するためのインターフェース（以下、親機Ｉ／Ｆという。）３４とが備えられており、上述の親機スピーカ３０、ハンドセット３１、モニタ３２は、図１のシステム構成図のインターホン親機３ａ、３ｂ、・・・３ｎにそれぞれ示される。
【００３８】
また、所定の通報機関としての病院５ａは、通報器４にて緊急通報の操作を行った通報者を特定するための通報者データベース（以下、病院用通報者データベースという。）５０ａと、通報器４にて緊急通報の操作を行った通報者から最初に通報データを受信したインターホン子機１ａ、１ｂ、・・・１ｎを特定するための子機データベース（以下、病院用子機データベースという。）５１ａとを有しており、病院用通報者データベース５０ａには、緊急通報の操作が行われた通報器４より発信される通報データに付加される通報者ＩＤに基づいて、患者の氏名、年齢等の患者情報と治療した内容、過去の病歴等の看護情報とを確認するための機能が備えられている。
【００３９】
さらに、所定の通報機関としての警察署５ｂは、上述の病院５ａと同様、通報器４にて緊急通報の操作を行った通報者を特定するための通報者データベース（以下、警察署用通報者データベースという。）５０ｂと、通報器４にて緊急通報の操作を行った通報者から最初に通報データを受信したインターホン子機１ａ、１ｂ、・・・１ｎを特定するための子機データベース（以下、警察署用子機データベースという。）５１ｂとを有している。
【００４０】
このように構成された本発明の実施例による緊急通報装置において、以下、具体的な動作について説明する。
【００４１】
なお、本発明の実施例による緊急通報装置において、住戸玄関に居る来訪者が、図１のシステム構成図および図２のブロック図に示すインターホン子機１ａ、１ｂ、・・・１ｎの呼出ボタン１０を操作したときにインターホン親機３ａ、３ｂ、・・・３ｎの親機スピーカ３０から呼出音が放音され、インターホン子機１ａ、１ｂ、・・・１ｎのカメラ１１にて撮像された映像をモニタ３２に出画させる呼出報知時の動作、この呼出報知を確認した住戸内に在室中の居住者がハンドセット３１を取り上げることにより、ハンドセット３１およびインターホン子機１ａ、１ｂ、・・・１ｎの子機マイク１２、子機スピーカ１３の間で通話が成立する通話時の動作は、それぞれ従来例の該当動作と同様であることから説明は省略する。
【００４２】
図１のシステム構成図において、所定の通報機関としての病院５ａおよび警察署５ｂのうち、病院５ａに対して緊急通報を行う通報者、例えば、（当該病院へと通院中の）患者である通報者が存在する位置として、ここでは、インターホン子機１ａが設置された住戸玄関の近傍に存在している場合、この通報者が緊急通報を行うために通報器４に備えられている緊急通報機能を能動、例えば、緊急通報ボタン（図示せず）を操作すると、通報器４が有する通報者ＩＤを付加させた緊急通報無線データＳ1が出力される。この緊急通報無線データＳ1は、インターホン子機１ａへと伝送され、インターホン子機１ａに搭載されている図２のブロック図に示す無線ネットワーク端末２ａの無線送受信回路２１にて受信される。
【００４３】
図２のブロック図において、インターホン子機１ａに搭載されている無線ネットワーク端末２ａの無線送受信回路２１は、通報器４からの緊急通報無線データＳ1をデータ処理し、緊急通報データＳ1aとしてＣＰＵ２２へと出力する。
【００４４】
図２のブロック図において、インターホン子機１ａに搭載されている無線ネットワーク端末２ａのＣＰＵ２２は、無線送受信回路２１からの緊急通報データＳ1aに基づいて、自住戸の住戸玄関の近傍に存在している通報者からの緊急通報があることを検出し、この緊急通報データＳ1aにインターホン子機１ａが有する子機ＩＤを付加させた緊急通報転送データＳ2を無線送受信回路２１へと出力するとともに、通報器４を携行している通報者からの緊急通報がある旨の通報音をデータ処理させた通報音データＳ3をインターホン子機１ａの子機Ｉ／Ｆ１４へと出力する。この通報音データＳ3は、子機Ｉ／Ｆ１４から住戸機器間ラインＬ1a、インターホン親機３ａの親機Ｉ／Ｆ３４を介して同図および図１のシステム構成図に示す親機スピーカ３０へと伝送され通報音として放音される。
【００４５】
また、図２のブロック図において、インターホン子機１ａに搭載されている無線ネットワーク端末２ａの無線送受信回路２１は、ＣＰＵ２２からの緊急通報転送データＳ2を無線データである緊急通報転送無線データＳ2aにデータ処理し、この緊急通報転送無線データＳ2aをＣＰＵ２２の制御によりメモリ２０から読み出された転送経路に基づいて、図１のシステム構成図に示す無線ネットワーク６を介して次子機に搭載されている無線ネットワーク端末、ここでは、インターホン子機１ｂに搭載されている無線ネットワーク端末２ｂとインターホン子機１ｎに搭載されている無線ネットワーク端末２ｎとへ伝送させ、この緊急通報転送無線データＳ2aは無線送受信回路２１、２１にてそれぞれ受信される。
【００４６】
なお、図２のブロック図において、インターホン子機１ａに搭載されている無線ネットワーク端末２ａのＣＰＵ２２は、無線送受信回路２１からの緊急通報データＳ1aに基づいて、通報器４を携行している通報者からの緊急通報があることを検出したとき、緊急通報転送データＳ2および通報音データＳ3の出力のみならず同図および図１のシステム構成図に示すカメラ１１を作動させることもできる。カメラ１１にて撮像された映像でありデータ処理させた映像データＳ4は、子機Ｉ／Ｆ１４から住戸機器間ラインＬ1a、インターホン親機３ａの親機Ｉ／Ｆ３４を介して同図および図１のシステム構成図に示すモニタ３２へと伝送され出画されることにより、インターホン親機２ａが設置された住戸内に在室中の居住者は、自住戸の住戸玄関の近傍に緊急通報の操作を行った通報者の存在があることを上述の通知音および映像の出画と併せて確認することができ、これを確認した居住者が同図および図１のシステム構成図に示すハンドセット３１を取り上げるような応答操作を行い通報者の様子を伺うための音声を送信すると、この音声はデータ処理された音声データとして親機Ｉ／Ｆ３４から住戸機器間ラインＬ1a、インターホン子機１ａの子機Ｉ／Ｆ１４を介して同図および図１のシステム構成図に示す子機スピーカ１３へと伝送され受話音声として放音されることにより、居住者は通報者の様子を確認して迅速な対応が可能となる。
【００４７】
図２のブロック図において、インターホン子機１ｂに搭載されている無線ネットワーク端末２ｂの無線送受信回路２１およびインターホン子機１ｎに搭載されている無線ネットワーク端末２ｎの無線送受信回路２１のうち、先ず、インターホン子機１ｂに搭載されている無線ネットワーク端末２ｂの無線送受信回路２１は、インターホン子機１ａに搭載されている無線ネットワーク端末２ａからの緊急通報転送無線データＳ2aをデータ処理し、緊急通報転送データＳ5としてＣＰＵ２２へと出力する。
【００４８】
図２のブロック図において、インターホン子機１ｂに搭載されている無線ネットワーク端末２ｂのＣＰＵ２２は、無線送受信回路２１からの緊急通報転送データＳ5に付加されている通報者ＩＤおよび子機ＩＤに基づいて、インターホン子機１ａが設置された住戸の住戸玄関の近傍に存在している通報者からの緊急通報があることを検出し、無線送受信回路２１は、ＣＰＵ２２からの緊急通報転送データＳ5を無線データである緊急通報転送無線データＳ5aにデータ処理し、この緊急通報転送無線データＳ5aをＣＰＵ２２の制御によりメモリ２０から読み出された転送経路に基づいて、図１のシステム構成図に示す無線ネットワーク６を介して次子機に搭載されている無線ネットワーク端末、ここでは、インターホン子機１ｃに搭載されている無線ネットワーク端末２ｃへと伝送させ、この緊急通報転送無線データＳ5aは無線送受信回路２１にて受信される。
【００４９】
また、図２のブロック図において、インターホン子機１ｃに搭載されている無線ネットワーク端末２ｃの無線送受信回路２１は、インターホン子機１ｂに搭載されている無線ネットワーク端末２ｂからの緊急通報転送無線データＳ5aをデータ処理し、緊急通報転送データＳ6としてＣＰＵ２２へと出力する。
【００５０】
さらに、図２のブロック図において、インターホン子機１ｃに搭載されている無線ネットワーク端末２ｃのＣＰＵ２２は、無線送受信回路２１からの緊急通報転送データＳ6に付加されている通報者ＩＤおよび子機ＩＤに基づいて、インターホン子機１ａが設置された住戸の住戸玄関の近傍に存在している通報者からの緊急通報があることを検出するとともに、自端末が所定の通報機関としての病院５ａに対する最寄りの当該端末であると検出し、無線送受信回路２１は、ＣＰＵ２２からの緊急通報転送データＳ6を緊急通報転送無線データＳ6aにデータ処理し、この緊急通報転送無線データＳ6aを所定の通報機関としての病院５ａへと伝送させる。
【００５１】
一方、図２のブロック図において、インターホン子機１ｂに搭載されている無線ネットワーク端末２ｂの無線送受信回路２１およびインターホン子機１ｎに搭載されている無線ネットワーク端末２ｎの無線送受信回路２１のうち、インターホン子機１ｎに搭載されている無線ネットワーク端末２ｎの無線送受信回路２１は、インターホン子機１ａに搭載されている無線ネットワーク端末２ａからの緊急通報転送無線データＳ2aをデータ処理し、緊急通報転送データＳ7としてＣＰＵ２２へと出力する。
【００５２】
図２のブロック図において、インターホン子機１ｎに搭載されている無線ネットワーク端末２ｎのＣＰＵ２２は、無線送受信回路２１からの緊急通報転送データＳ7に付加されている通報者ＩＤおよび子機ＩＤに基づいて、インターホン子機１ａが設置された住戸の住戸玄関の近傍に存在している通報者からの緊急通報があることを検出する、一方、この緊急通報無線データＳ7を転送させるためにメモリ２０から読み出された転送経路が自端末から所定の通報機関としての病院５ａに対する最短の転送経路でないと検出し、緊急通報無線データＳ7を無線送受信回路２１へと出力しないことから、上述のように、インターホン子機１ａに搭載されている無線ネッワーク端末２ａからの緊急通報転送無線データＳ2aは、無線ネットワーク６上における最短時間の転送経路の無線ネットワーク端末、ここでは、インターホン子機１ｂに搭載されている無線ネッワーク端末２ｂ、インターホン子機１ｃに搭載されている無線ネッワーク端末２ｃを順次転送され、適宜、データ処理された緊急通報転送無線データＳ6aとして、所定の通報機関としての病院５ａに伝送することができる。
【００５３】
次に、図１のシステム構成図において、所定の通報機関としての病院５ａは、インターホン子機１ｃに搭載されている図２のブロック図に示す無線ネットワーク端末２ｃからの緊急通報転送無線データＳ6aを受信し、この緊急通報転送無線データＳ6aに付加されている通報者ＩＤに基づいて、通報器４を携行している通報者を特定、例えば、通報者である患者の氏名、年齢等の患者情報と治療した内容、過去の病歴等の看護情報を病院用通報者データベース５０ａから読み出し、読み出した内容を適宜な手段（視覚的、聴覚的等）にて報知することができるばかりでなく、同様に付加されている子機ＩＤに基づいて、上述の通報者の存在位置としてインターホン子機１ａが設置された住戸の住戸玄関の近傍である旨の位置情報を病院用子機データベース５１ａから読み出し、読み出した内容を適宜な手段（視覚的、聴覚的等）にて報知することができる。
【００５４】
また、図１のシステム構成図において、所定の通報機関としての病院５ａにて行われた上述の緊急通報の報知を確認した人物、例えば、病院内で業務を遂行する医師や看護師等が適宜な手段で応答すると、病院５ａが有する通話機能（詳述せず）から上述の緊急通報転送無線データが伝送されてきた転送経路と同一経路を介してインターホン子機１ａの通話部をなす子機マイク１２および子機スピーカ１３との間の通話路が形成され、形成された通話路を介して音声データを送受信させることにより、通報器４にて緊急通報の操作を行った通報者と病院内で業務を遂行する医師や看護師等との間で通話が成立し、迅速な対応が可能となる。
【００５５】
次に、図１のシステム構成図に示すインターホン親機３ａ、３ｂ、・・・３ｎがそれぞれ設置された各住戸内の居住者のうち、ここでは、インターホン親機３ａが設置された住戸内に在室中の居住者が、非常時または緊急時、例えば、緊急の介助が必要とされる緊急時において、図２のブロック図に示すインターホン親機３ａの通話送信部３３は、上述の緊急時である旨の緊急通報データＳ8を親機Ｉ／Ｆ３４に出力する。この緊急通報データＳ8は、親機Ｉ／Ｆ３４から親機機器間ラインＬ1a、インターホン子機１ａの子機Ｉ／Ｆ１４を介して当該インターホン子機に搭載されている無線ネットワーク端末２ａのＣＰＵ２２へと伝送される。
【００５６】
図２のブロック図において、インターホン子機１ａに搭載されている無線ネットワーク端末２ａのＣＰＵ２２は、インターホン親機３ａからの緊急通報データＳ8に基づいて、自住戸内に在室中である居住者が緊急時であることを示す警報音を子機スピーカ１３から放音（発報）させるとともに、インターホン親機３ａからの緊急通報データＳ8にインターホン子機１ａが有する子機ＩＤを付加させた緊急通報転送データＳ8aを無線送受信回路２１へと出力する。この緊急通報転送データＳ8aは、上述のように、通報器４にて通報者が緊急通報の操作を行った場合と同様、無線ネットワーク６上における最短時間の転送経路の無線ネットワーク端末、ここでは、インターホン子機１ｂに搭載されている無線ネッワーク端末２ｂ、インターホン子機１ｃに搭載されている無線ネッワーク端末２ｃを順次転送され、適宜、データ処理された緊急通報転送無線データ（図示せず）として、所定の通報機関としての病院５ａに伝送することができるばかりでなく、この緊急通報転送無線データに付加されている子機ＩＤに基づいて、緊急時である居住者の存在位置を示す位置情報を病院用子機データベース５０ｂから読み出し、読み出した内容を適宜な手段（視覚的、聴覚的等）にて報知することができる。
【００５７】
なお、本発明の実施例による緊急通報装置では、通報器４を携行している通報者からの緊急通報の報知が行われる所定の通報機関として、病院５ａの場合を説明したが、上述の警察署５ｂの場合においても、通報器４からの緊急通報無線データを最初に受信した当該インターホン子機に搭載されている無線ネッワーク端末から無線ネットワーク６上における最短時間の転送経路の無線ネットワーク端末を順次転送され、適宜、データ処理された緊急通報転送無線データを警察署５ｂに伝送することができ、この緊急通報転送無線データに付加されている通報者ＩＤに基づいて、通報器４を携行している通報者を特定するための情報を警察署用通報者データベース５０ｂから読み出し、読み出した内容を適宜な手段（視覚的、聴覚的等）にて報知することができるばかりでなく、同様に付加されている子機ＩＤに基づいて、上述の通報者の存在位置を示す位置情報を警察署用子機データベース５１ｂから読み出し、読み出した内容を適宜な手段（視覚的、聴覚的等）にて報知することができ（詳述せず）、さらに、この報知を確認した人物、例えば、警察署内で業務を遂行する警察官等が適宜な手段で応答すると、警察署５ｂが有する通話機能（詳述せず）から上述の緊急通報転送無線データが伝送されてきた転送経路と同一経路を介して当該インターホン子機の通話部をなす子機マイク１２および子機スピーカ１３との間の通話路が形成され、形成された通話路を介して音声データを送受信させることにより、通報器４にて緊急通報の操作を行った通報者と警察署内で業務を遂行する警察官等との間で通話が成立し、迅速な対応が可能となる。
【００５８】
また、本発明の実施例による緊急通報装置では、通報器４を携行している通報者からの緊急通報の報知が行われる所定の通報機関として、上述の病院５ａおよび警察署５ｂを適用させたが、所定の通報機関はこれに限定されず、消防署や学校内の職員室も好適され、特に、学校内の職員室を所定の通報機関として適用することにより、通報器４を携行する通報者である児童、生徒等が学校内の職員室へと行う緊急通報の迅速化が図られ、従来例のような登下校する道沿いに新たな専用線の敷設および専用の端末の設置が不要とされる。
【００５９】
また、本発明の実施例による緊急通報装置では、緊急通報の操作が行われた通報器４からの通報データの転送経路を記憶し、この転送経路に基づく無線ネットワーク６を介して次子機へと通報データを送信するためのメモリ２０を無線ネットワーク端末２ａ、２ｂ、・・・２ｎに備えたが、メモリ２０が備えられる当該機器は無線ネットワーク端末２ａ、２ｂ、・・・２ｎに限定されず、インターホン子機１ａ、１ｂ、・・・１ｎに備えることもできる。
【００６０】
さらに、本発明の実施例による緊急通報装置では、インターホン親機３ａ、３ｂ、・・・１ｎが有する通話機能として、住戸内に在室中の居住者がハンドセット３１を使用して通話を成立させるハンドセット通話を適用したが、当該通話機能はハンドセット通話に限定されず、上述の親機スピーカ３０と別途備える親機マイク、通話ボタン（図示せず）を使用した拡声通話を成立させることもでき、この拡声通話を適用するにあたりハンドセット３１は不要となる。
【図面の簡単な説明】
【００６１】
【図１】図１は、本発明の実施例による緊急通報装置を示すシステム構成図である。
【図２】図２は、本発明の実施例によるインターホン装置において、インターホン子機、（インターホン子機に搭載されている）無線ネットワーク端末およびインターホン親機の具体的な構成をそれぞれ示すブロック図である。
【符号の説明】
【００６２】
１ａ、１ｂ、・・・１ｎ……（複数の）インターホン子機
１１……カメラ
１２……子機マイク（通話部）
１３……子機スピーカ（通話部）
２ａ、２ｂ、・・・２ｎ……（複数の）無線ネットワーク端末
２０……メモリ
３ａ、３ｂ、・・・３ｎ……（複数の）インターホン親機
３３……通報送信部
４……通報器
５ａ……病院（所定の通報機関）
５０ａ……病院用通報者データベース（通報者データベース）
５１ａ……病院用子機データベース（子機データベース）
５ｂ……警察署（所定の通報機関）
５０ｂ……警察署用通報者データベース（通報者データベース）
５１ｂ……警察署用子機データベース（子機データベース）
６……無線ネットワーク
【図１】
2005079687.tif 000003
【図２】
2005079687.tif 000004